(57)【要約】      （修正有）【課題】濡れたままの傘を持って移動する際や、公共交通機関、公共施設、商業施設などに出入りする際に、傘から落下した雨水により床を濡らし、滑りやすくなり、特に、目に障害を持つ者や、物を認識しづらい者から怪我を防ぐためにも傘の雨水の落下を防ぐとともに傘の雨水を簡単に排泄できる傘袋を提供する。【解決手段】筒状にしたシート材１をつぶして平たくし、その両端に開口辺部を有する傘袋にあって、その傘袋の一方の面の底部に、ポケットシート片２を設け、そのポケットシート片２の底辺部と、そのポケットシート片２とは反対側の前記傘袋の前記開口辺部とを接合させる。【選択図】図１
0003212448.tif 000002
【実用新案登録請求の範囲】
【請求項１】
筒状にしたシート材をつぶして平たくし、その両端に開口辺部を有する傘袋にあって、その傘袋の一方の面の水受け部分に、ポケットシート片を設け、そのポケットシート片の底辺部と、そのポケットシート片とは反対側の前記傘袋の前記開口辺部とが接合されていることを特徴とする傘袋。
【請求項２】
前記ポケットシート片側の前記傘袋の前記開口辺部が内側にへこんでいることを特徴とする請求項１の傘袋。
【請求項３】
前記ポケットシート片の底角部周辺と、それと重なる前記傘袋の底角部周辺との間に斜めに折り込むことを特徴とする請求項１または２の傘袋。
【請求項４】
傘に装着する係止用ボタン付き滑り落ち防止リングと、前記係止用ボタンを掛けるボタンホールとを有することを特徴とする請求項１、２または３の傘袋。
【請求項５】
傘袋を長手方向に二つ折りまたは二つ折りを繰り返し、次に、傘袋の傘挿入側の開口部を外側として三つ折りに折り曲げ、折り先部を、前記傘挿入側の開口部に挿入し、次に前記ボタンホールに、そのボタンホール面に設けた収納用ボタンを掛けることで折り畳みを固定する傘袋の折り畳み方法。
【考案の詳細な説明】
【技術分野】
【０００１】  本発明は、傘袋及びその折り畳み方法に関する。
【背景技術】
【０００２】  近年、誰もが簡単に使え、施設に設置されている傘袋として、無料の使い捨て傘袋が多く利用されている。【０００３】  例えば、施設が設置している濡れた傘を入れる使い捨て傘袋は、施設側が費用を負担し、その回収にも費用がかかっている。また、無料ゆえに、取り扱いも乱雑で、使用後排水もせずに床面に雨水とともに散らかっていると、それに足をとられ、すべりやすくなる場合もある。【０００４】  そのため、自前の傘袋を用意する場合があり、特許文献１には、傘袋の水を受け部分を折り曲げてボタンで固定し、排水する場合はそのボタンをはずして折り曲げ部分を戻し排水する方法が提案されている。
【先行技術文献】
【特許文献】
【０００５】
【特許文献１】実用新案登録  第３１６４６０６号
【考案の概要】
【考案が解決しようとする課題】
【０００６】  特許文献１の様に、雨水の排水時に、折り曲げ固定用のボタンを留めたり外したりを繰り返し使用すると、ボタン部分の留める力が弱くなって、突然はずれ、溜まった雨水が流れ出したり、場合によってはボタンやその周りが破損しやすくなったりする場合がある。そのため、傘の留め具等の別部品がないようにして、劣化する部分をなくし、雨水の落下を防ぐとともに、傘の雨水を簡単に排泄できるようにし、何度も使用することが出来る傘袋を提案する。【０００７】  本発明は、上記の課題を解決する為のもので、金具ボタン及びプラスチック製スナップボタンを使用せず、そのため留め具の劣化がなく、長く使用することが出来る傘袋を提供するものである。また、折り畳み方法を工夫し誰もが簡単に持ち運びができる傘袋を提供するものである。
【課題を解決するための手段】
【０００８】  本発明は、上記の課題を解決するために、下記の傘袋及びその折り畳み方法を提供するものである。
（１）筒状にしたシート材をつぶして平たくし、その両端に開口辺部を有する傘袋にあって、その傘袋の一方の面の水受け部分に、ポケットシート片を設け、そのポケットシート片の底辺部と、そのポケットシート片とは反対側の前記傘袋の前記開口辺部とが接合されていることを特徴とする傘袋。
（２）上記（１）において、前記ポケットシート片側の前記傘袋の前記開口辺部が内側にへこんでいることを特徴とする傘袋。
（３）上記（１）または（２）において、前記ポケットシート片の底角部周辺と、それと重なる前記傘袋の底角部周辺との間に斜めに折り込むことを特徴とする傘袋。
（４）上記（１）から（３）において、傘に装着する係止用の係止ボタン付き滑り落ち防止リングと、前記係止ボタンを掛けるボタンホールとを有することを特徴とする傘袋。
（５）傘袋を長手方向に二つ折りまたは二つ折りを繰り返し、次に、傘袋の傘挿入側の開口部を外側として三つ折りに折り曲げ、折り先部を、前記傘挿入側の開口部に挿入し、次に前記ボタンホールに、そのボタンホール面に設けた収納用の収納ボタンを掛けることで折り畳みを固定する傘袋の折り畳み方法。
【考案の効果】
【０００９】  本発明によれば、傘の雨水の落下を防ぐとともに、傘の雨水を簡単に排泄できるもので、何度も使用できる傘袋を提供することが出来る。
【図面の簡単な説明】
【００１０】
【図１】本発明の傘袋の製造方法を示している。
【図２】別の本発明の傘袋の製造方法を示している。
【図３】別の本発明の傘袋の製造方法を示している。
【図４】本発明の傘袋を傘に装着し係止用ボタン付き滑り落ち防止リングを使用して係止した状態を示している。
【図５】本発明の傘袋の水受け部分に溜まった雨水の排出方法を示している。
【図６】本発明の傘袋の折り畳み方法を示している。
【図７】本発明の傘袋の折り畳んだ斜視図を示している。
【考案を実施するための形態】
【００１１】  本発明のシート材は、折り曲げ可能な布、薄板または紙などの薄物で、傘袋に加工するのには、裁断され、縫ったり、熱融着や圧接や接着されたり、などされる。少なくとも水受け部分には防水性があり、表面が撥水加工や防水加工されていたり、または、熱融着性の層が積層されていたりしたものも使用される。通気性があると乾燥しやすくその点で好ましい。
【００１２】  本発明の水受け部分は、傘袋の挿入する傘の先端側の傘についた雨水を留める部分をさいている。
【００１３】  本発明のポケットシート片は、筒状にしたシート材をつぶして平たくした傘袋の一方の面の水受け部分に設けるもので、ポケットシート片のポケット口から溜まった雨水が排水される。上記シート材を導出したものまたは別シート材が使用できる。
【００１４】  本発明の滑り落ち防止リングは、シート材またはゴムバンドのような別部材またはそれらの複合材を使用して本発明の傘袋本体が滑り落ちない様に固定するための帯状のもので、傘の柄の持ち手と生地のあいだ部分に取り付けられる。
【００１５】  以下、本発明の実施の形態を図面に基づいて説明する。
図１は、本発明の傘袋の製作方法を示している。シート材１とポケットシート片２とは別部材の場合で、シート材１とポケットシート片２には、プラスチック製のシートを使用し、シート材１の表面と、ポケットシート片２の裏面には、熱融着性の樹脂が積層されている場合を説明する。
まず、シート材１は、図１（イ）に示すように、折り曲げ左部分１ａ、折り曲げ右部分１ｂ、底部はみ出し部分１ｃを設けて裁断される。
次に、図１（ロ）に示すように、両端折り曲げ左部分１ａと折り曲げ右部分１ｂを点線に沿って内側に畳む。
次に、図１（ハ）に示すように、平たくした状態の底部はみ出し部分１ｃとその上部分に、ポケットシート片２を重ね合わせ、コの字型の熱ヘッドで、ポケットシート片２の周辺部分を熱融着によりシート材１と接合させる。また折り曲げ左部分１ａと折り曲げ右部分１ｂとの重なった部分を熱融着により接合させる。
シート材１とポケットシート片２に布を使用し、接合部分を糸で縫い合わせた場合には、水受け部分４を樹脂含浸したりして防水性にする。
【００１６】  図２は、別の本発明の傘袋の製作方法を示している。
シート材１として、プラスチック製のシートを使用し、ポケットシート片２をシート材１から一体で導出していて、シート材１の表面には、熱融着性の樹脂が積層されている場合を説明する。まず、シート材１は、図２（イ）に示すように、ポケットシート片１ｄと折り曲げ左部分１ａと折り曲げ右部分１ｂとを設けて裁断される。
次に、図２（ロ）に示すように、両端折り曲げ左部分１ａと折り曲げ右部分１ｂを点線に沿って内側に畳み、重なった先端どうしを熱融着等の方法で接合させ、つぶされて平らになった筒形にする。
次に、図２（ハ）に示すように、ポケットシート片１ｄを、開口辺部で谷折りに折り返して筒本体に重ね合わせ、熱ヘッドで、ポケットシート片１ｄの左右周辺部分を熱融着により筒本体と接合させる。
【００１７】  図３は、別の本発明の傘袋の製作方法を示している。シート材１とポケットシート片１ｄとが一体のもので、ポリエステル繊維製の布を使用し、その表面には、防水性の樹脂が積層されている場合を説明する。
まず、シート材１は、図３（イ）に示すように、折り曲げ左部分１ａ、折り曲げ右部分１ｂ、ポケットシート片１ｄを設けて裁断される。
次に、図３（ロ）に示すように、シート材１の両端折り曲げ左部分１ａと折り曲げ右部分１ｂを点線に沿って内側に畳み、重なった端辺部を縫い合わせることにより筒状とする。
次に、図３（ハ）に示すように、底角部周辺１ｅを斜めに折り込みながら、ポケットシート片１ｄを畳み上げ、ポケットシート片１ｄの斜め以外の周辺部を縫い合わせて接合させる。
【００１８】  図４は、本発明の傘袋を傘に装着し係止用ボタン付き滑り落ち防止リングを使用して係止した状態を示している。
滑り落ち防止リング５を傘６の持ち手と生地のあいだ部分に設け、滑り落ち防止リング５の外側に設けた係止用ボタン７を、傘袋８のボタンホール９に取り付けて、傘袋８が傘６から滑り落ちないようにすることができる。
【００１９】  図５は、本発明の傘袋の水受け部分に溜まった雨水の排出方法を示している。傘袋８の水受け部分４を９０度回転させ、水受け部４に溜まった雨水１０をポケットシート片１ｄの口から排出させる。
【００２０】  図６は、本発明の傘袋の折り畳み方法を示している。
まず、図５（イ）に示すように、傘挿入開口部８ｂの近くに設けたボタンホール９を下にして、傘袋８を長手方向に底部８ａと傘挿入開口部８ｂを揃える様に二つ折りし、または二つ折りを繰り返す。このとき、ボタンホール９側で傘挿入開口部８ｂ側とは反対側の傘袋８表面に端から少し離して収納用ボタン１１を設けておく。
次に、図５（ロ）に示すように、左側、中央、右側の部分の左側を中央部分の上に重ね、図５（ハ）に示すように、傘袋８の傘挿入開口部８ｂを外側として三つ折りに折り曲げ、図５（ニ）に示すように、折り先部を、傘挿入口８ｂに挿入し、次に前記ボタンホール９に、そのボタンホール９面に設けた収納用の収納用ボタン１１を掛けることで折り畳みを固定する傘袋８の折り畳み方法を示している。
【００２１】  図７は、本発明の傘袋の折り畳んだ図５（ニ）に示す状態の斜視図を示していている。
傘袋の一部が開口部分に収められ、収納用ボタン１１をボタンホール９に掛け収納している状態を示している。このようにすることにより、傘袋をコンパクトに収納することができる。
【符号の説明】
【００２２】  １：シート材、１ａ：折り曲げ左部分、１ｂ：折り曲げ右部分、１ｃ：底部はみ出し部分、１ｄ：ポケットシート片、１ｅ：折り畳み部分、２：ポケットシート片、３：接合部、４：水受け部分、５：滑り落ち防止リング、６：傘、７：係止用ボタン、８：傘袋、８ａ：底部、８ｂ：傘挿入開口部、９：ボタンホール、１０：雨水、１１：収納用ボタン
【図１】
0003212448.tif 000003
【図２】
0003212448.tif 000004
【図３】
0003212448.tif 000005
【図４】
0003212448.tif 000006
【図５】
0003212448.tif 000007
【図６】
0003212448.tif 000008
【図７】
0003212448.tif 000009
【手続補正書】
【提出日】平成29年6月22日(2017.6.22)
【手続補正１】
【補正対象書類名】実用新案登録請求の範囲
【補正対象項目名】全文
【補正方法】変更
【補正の内容】
【実用新案登録請求の範囲】
【請求項１】
筒状にしたシート材をつぶして平たくし、その両端に開口辺部を有する傘袋にあって、その傘袋の一方の面の水受け部分に、ポケットシート片を設け、そのポケットシート片の底辺部と、そのポケットシート片とは反対側の前記傘袋の前記開口辺部とが接合されていることを特徴とする傘袋。
【請求項２】
前記ポケットシート片側の前記傘袋の前記開口辺部が内側にへこんでいることを特徴とする請求項１の傘袋。
【請求項３】
前記ポケットシート片の底角部周辺を、それと重なる前記傘袋の底角部周辺との間に斜めに折り込むことを特徴とする請求項１または２の傘袋。
【請求項４】
傘に装着する係止用ボタン付き滑り落ち防止リングと、前記係止用ボタンを掛けるボタンホールとを有することを特徴とする請求項１、２または３の傘袋。
【手続補正２】
【補正対象書類名】明細書
【補正対象項目名】全文
【補正方法】変更
【補正の内容】
【考案の詳細な説明】
【技術分野】
【０００１】  本考案は、傘袋に関する。
【背景技術】
【０００２】  近年、誰もが簡単に使え、施設に設置されている傘袋として、無料の使い捨て傘袋が多く利用されている。【０００３】  例えば、施設が設置している濡れた傘を入れる使い捨て傘袋は、施設側が費用を負担し、その回収にも費用がかかっている。また、無料ゆえに、取り扱いも乱雑で、使用後排水もせずに床面に雨水とともに散らかっていると、それに足をとられ、すべりやすくなる場合もある。【０００４】  そのため、自前の傘袋を用意する場合があり、特許文献１には、傘袋の水を受け部分を折り曲げてボタンで固定し、排水する場合はそのボタンをはずして折り曲げ部分を戻し排水する方法が提案されている。
【先行技術文献】
【特許文献】
【０００５】
【特許文献１】実用新案登録  第３１６４６０６号
【考案の概要】
【考案が解決しようとする課題】
【０００６】  特許文献１の様に、雨水の排水時に、折り曲げ固定用のボタンを留めたり外したりを繰り返し使用すると、ボタン部分の留める力が弱くなって、突然はずれ、溜まった雨水が流れ出したり、場合によってはボタンやその周りが破損しやすくなったりする場合がある。そのため、傘の留め具等の別部品がないようにして、劣化する部分をなくし、雨水の落下を防ぐとともに、傘の雨水を簡単に排泄できるようにし、何度も使用することが出来る傘袋を提案する。【０００７】  本考案は、上記の課題を解決する為のもので、金具ボタン及びプラスチック製スナップボタンを使用せず、そのため留め具の劣化がなく、長く使用することが出来る傘袋を提供するものである。また、折り畳み方法を工夫し誰もが簡単に持ち運びができる傘袋を提供するものである。
【課題を解決するための手段】
【０００８】  本考案は、上記の課題を解決するために、下記の傘袋及びその折り畳み方法を提供するものである。
（１）筒状にしたシート材をつぶして平たくし、その両端に開口辺部を有する傘袋にあって、その傘袋の一方の面の水受け部分に、ポケットシート片を設け、そのポケットシート片の底辺部と、そのポケットシート片とは反対側の前記傘袋の前記開口辺部とが接合されていることを特徴とする傘袋。
（２）上記（１）において、前記ポケットシート片側の前記傘袋の前記開口辺部が内側にへこんでいることを特徴とする傘袋。
（３）上記（１）または（２）において、前記ポケットシート片の底角部周辺を、それと重なる前記傘袋の底角部周辺との間に斜めに折り込むことを特徴とする傘袋。
（４）上記（１）から（３）において、傘に装着する係止用の係止ボタン付き滑り落ち防止リングと、前記係止ボタンを掛けるボタンホールとを有することを特徴とする傘袋。
【考案の効果】
【０００９】  本考案によれば、傘の雨水の落下を防ぐとともに、傘の雨水を簡単に排泄できるもので、何度も使用できる傘袋を提供することが出来る。
【図面の簡単な説明】
【００１０】
【図１】本考案の傘袋の製造方法を示している。
【図２】別の本考案の傘袋の製造方法を示している。
【図３】別の本考案の傘袋の製造方法を示している。
【図４】本考案の傘袋を傘に装着し係止用ボタン付き滑り落ち防止リングを使用して係止した状態を示している。
【図５】本考案の傘袋の水受け部分に溜まった雨水の排出方法を示している。
【考案を実施するための形態】
【００１１】  本考案のシート材は、折り曲げ可能な布、薄板または紙などの薄物で、傘袋に加工するのには、裁断され、縫ったり、熱融着や圧接や接着されたり、などされる。少なくとも水受け部分には防水性があり、表面が撥水加工や防水加工されていたり、または、熱融着性の層が積層されていたりしたものも使用される。通気性があると乾燥しやすくその点で好ましい。
【００１２】  本考案の水受け部分は、傘袋の挿入する傘の先端側の傘についた雨水を留める部分をさいている。
【００１３】  本考案のポケットシート片は、筒状にしたシート材をつぶして平たくした傘袋の一方の面の水受け部分に設けるもので、ポケットシート片のポケット口から溜まった雨水が排水される。上記シート材を導出したものまたは別シート材が使用できる。
【００１４】  本考案の滑り落ち防止リングは、シート材またはゴムバンドのような別部材またはそれらの複合材を使用して本考案の傘袋本体が滑り落ちない様に固定するための帯状のもので、傘の柄の持ち手と生地のあいだ部分に取り付けられる。
【００１５】  以下、本考案の実施の形態を図面に基づいて説明する。
図１は、本考案の傘袋の製作方法を示している。シート材１とポケットシート片２とは別部材の場合で、シート材１とポケットシート片２には、プラスチック製のシートを使用し、シート材１の表面と、ポケットシート片２の裏面には、熱融着性の樹脂が積層されている場合を説明する。
まず、シート材１は、図１（イ）に示すように、折り曲げ左部分１ａ、折り曲げ右部分１ｂ、底部はみ出し部分１ｃを設けて裁断される。
次に、図１（ロ）に示すように、両端折り曲げ左部分１ａと折り曲げ右部分１ｂを点線に沿って内側に畳む。
次に、図１（ハ）に示すように、平たくした状態の底部はみ出し部分１ｃとその上部分に、ポケットシート片２を重ね合わせ、コの字型の熱ヘッドで、ポケットシート片２の周辺部分を熱融着によりシート材１と接合させる。また折り曲げ左部分１ａと折り曲げ右部分１ｂとの重なった部分を熱融着により接合させる。
シート材１とポケットシート片２に布を使用し、接合部分を糸で縫い合わせた場合には、水受け部分４を樹脂含浸したりして防水性にする。
【００１６】  図２は、別の本考案の傘袋の製作方法を示している。
シート材１として、プラスチック製のシートを使用し、ポケットシート片２をシート材１から一体で導出していて、シート材１の表面には、熱融着性の樹脂が積層されている場合を説明する。まず、シート材１は、図２（イ）に示すように、ポケットシート片１ｄと折り曲げ左部分１ａと折り曲げ右部分１ｂとを設けて裁断される。
次に、図２（ロ）に示すように、両端折り曲げ左部分１ａと折り曲げ右部分１ｂを点線に沿って内側に畳み、重なった先端どうしを熱融着等の方法で接合させ、つぶされて平らになった筒形にする。
次に、図２（ハ）に示すように、ポケットシート片１ｄを、開口辺部で谷折りに折り返して筒本体に重ね合わせ、熱ヘッドで、ポケットシート片１ｄの左右周辺部分を熱融着により筒本体と接合させる。
【００１７】  図３は、別の本考案の傘袋の製作方法を示している。シート材１とポケットシート片１ｄとが一体のもので、ポリエステル繊維製の布を使用し、その表面には、防水性の樹脂が積層されている場合を説明する。
まず、シート材１は、図３（イ）に示すように、折り曲げ左部分１ａ、折り曲げ右部分１ｂ、ポケットシート片１ｄを設けて裁断される。
次に、図３（ロ）に示すように、シート材１の両端折り曲げ左部分１ａと折り曲げ右部分１ｂを点線に沿って内側に畳み、重なった端辺部を縫い合わせることにより筒状とする。
次に、図３（ハ）に示すように、底角部周辺１ｅを斜めに折り込みながら、ポケットシート片１ｄを畳み上げ、ポケットシート片１ｄの斜め以外の周辺部を縫い合わせて接合させる。
【００１８】  図４は、本考案の傘袋を傘に装着し係止用ボタン付き滑り落ち防止リングを使用して係止した状態を示している。
滑り落ち防止リング５を傘６の持ち手と生地のあいだ部分に設け、滑り落ち防止リング５の外側に設けた係止用ボタン７を、傘袋８のボタンホール９に取り付けて、傘袋８が傘６から滑り落ちないようにすることができる。
【００１９】  図５は、本考案の傘袋の水受け部分に溜まった雨水の排出方法を示している。
傘袋８の水受け部分４を９０度回転させ、水受け部４に溜まった雨水１０をポケットシート片１ｄの口から排出させる。
【符号の説明】
【００２０】  １：シート材、１ａ：折り曲げ左部分、１ｂ：折り曲げ右部分、１ｃ：底部はみ出し部分、１ｄ：ポケットシート片、１ｅ：折り畳み部分、２：ポケットシート片、３：接合部、４：水受け部分、５：滑り落ち防止リング、６：傘、７：係止用ボタン、８：傘袋、８ａ：底部、８ｂ：傘挿入開口部、９：ボタンホール、１０：雨水
【手続補正３】
【補正対象書類名】図面
【補正対象項目名】図６
【補正方法】削除
【補正の内容】
【手続補正４】
【補正対象書類名】図面
【補正対象項目名】図７
【補正方法】削除
【補正の内容】